(57)【要約】  【課題】従来の吸気口と排気口を備えたファンを使用する撮像装置は、記録メディアの挿抜のために、記録メディアの開口部を塞ぐ蓋を開いてしまうと、ファンの作用により記録メディア開口部から吸気が開始されてしまう。前記記録メディア開口部から埃を吸い込むことにより、記録メディアの端子部に埃がたまり、接触不良を起こす課題があった。  【解決手段】記録メディア開口部が開いている時は、ファンの回転数を下げる、又は停止させることにより、メディア開口部からの埃の吸入を軽減する。【選択図】  図３
2015126424.tif 000002
【特許請求の範囲】
【請求項１】
吸気口と、排気口と、筺体外に筺体内の空気を排気するファンを備える撮像装置において、記録メディアを挿抜するためのメディア開口部と、前記メディア開口部を塞ぐメディア蓋と、メディア蓋の開閉を検知する蓋開閉検知部を設け、前記蓋開閉検知部にて前記メディア蓋が開いた事を検出した時に、前記ファンの回転に特定の制御を行う制御手段を設けたことを特徴とする撮像装置。
【請求項２】
前記特定の制御が、ファンの回転を停止することを特徴とする請求項１に記載の撮像装置。
【請求項３】
前記特定の制御が、ファンの回転数を低くすることを特徴とする請求項１に記載の撮像装置。
【請求項４】
前記記録メディアを使用している時は、前記蓋開閉検知部にて前記メディア蓋が開いた事を検出した時でも、ファンの回転を継続することを特徴とする請求項１乃至請求項３の何れか１項に記載の撮像装置。
【発明の詳細な説明】
【技術分野】
【０００１】
本発明は、ファンを備える撮像装置に関するものである。
【背景技術】
【０００２】
従来の撮像装置は、撮像装置を冷却するためにファンを使用している。撮像装置に吸気口と排気口を設け、ファンで撮像装置内の空気を排出する。この時、撮像装置に設けた吸気口及び排気口に埃がたまってしまい、換気を阻害する要因となる。また、吸気口、排気口以外で端子等による開口部から埃を吸い込んでしまい、端子の接触不良を起こす要因となる。前者の埃がたまって換気を阻害することに対し、吸気口及び排気口に埃が溜まったこと検知して使用者に情報を送る提案がされている（特許文献１参照）。後者の端子等による開口部から埃を吸い込んでしまうことに対しては、蓋を用いて埃が入らないような対策が施されている。
【先行技術文献】
【特許文献】
【０００３】
【特許文献１】特開２０１２−１９９４９９号公報
【発明の概要】
【発明が解決しようとする課題】
【０００４】
しかしながら、撮像装置においては、記録メディアの挿抜のために、記録メディアの開口部を塞ぐ蓋を開いてしまう。記録メディアを挿抜するための開口部は大きく、ファンの作用により記録メディア開口部から吸気が開始されてしまう。前記記録メディア開口部から埃を吸い込むことにより、記録メディアの端子部に埃がたまり、接触不良を起こすこととなる。上記従来例では、埃がたまったことを検出することはできるが、埃は入ってしまうため接触不良が防げない課題があった。
【課題を解決するための手段】
【０００５】
上記課題を解決するために、請求項１に記載の撮像装置は、吸気口と、排気口と、筺体外に筺体内の空気を排気するファンを備える撮像装置において、記録メディアを挿抜するためのメディア開口部と、前記メディア開口部を塞ぐメディア蓋と、メディア蓋の開閉を検知する蓋開閉検知部を設け、前記蓋開閉検知部にて前記メディア蓋が開いた事を検出した時に、前記ファンの回転に特定の制御を行う制御手段を設けたことを特徴とする。
【０００６】
請求項２に記載の撮像装置は、前記特定の制御が、ファンの回転を停止することを特徴とする。
【０００７】
請求項３に記載の撮像装置は、前記特定の制御が、ファンの回転を低くすることを特徴とする。
【０００８】
請求項４に記載の撮像装置は、請求項１乃至請求項３の何れか１項に記載の撮像装置において、前記記録メディアを使用している時は、前記蓋開閉検知部にて前記メディア蓋が開いた事を検出した時でも、ファンの回転を継続することを特徴とする。
【発明の効果】
【０００９】
以上説明したように、本発明によれば、記録メディア挿抜のために、メディア蓋を開いたとしても、メディア開口部から吸い込む埃を軽減し、記録メディアの接触不良を軽減することが可能となる。
【図面の簡単な説明】
【００１０】
【図１】本実施形態による撮像装置の構成例を示すブロック図である。
【図２ａ】本実施形態によるメディア蓋が閉じた状態の撮像装置の外観斜視図である。
【図２ｂ】本実施形態によるメディア蓋が開いた状態の撮像装置の外観斜視図である。
【図３】本実施形態の撮像装置による第一のファン回転制御処理を示すフローチャートである。
【図４】本実施形態の撮像装置による第二のファン回転制御処理を示すフローチャートである。
【発明を実施するための形態】
【００１１】
以下、図面を参照して本実施形態を説明する。
【００１２】
図１は本実施形態による撮像装置本体１００の構成例を示すブロック図である。図２ａは本実施形態によるメディア蓋が閉じた状態の撮像装置の外観斜視図である。図２ｂは本実施形態によるメディア蓋が開いた状態の撮像装置の外観斜視図で、内部構成を破線示したものである。
【００１３】
図１乃至２ｂにおいて、前記撮像装置本体１００には、ファン１０９が内蔵され、排気を行うための排気口２０４と、ファンによる吸気口２０３が設けらている。ファン１０９は前記排気口２０４から空気を排出し、前記吸気口２０３から空気を吸入することにより、撮像装置本体１００を放熱する構造をとる。
【００１４】
また、撮像装置本体１００には、記録メディアを挿抜するための記録メディア開口部２０６が設けられている。前記記録メディア開口部２０６の前には可動式のメディア蓋が設けれられており、前記メディア蓋の閉状態を２０１ａ、前記メディア蓋の開状態を２０１ｂで示している。
【００１５】
撮像部１０１は撮影レンズ、光学像を電気信号に変換するＣＣＤやＣＭＯＳ素子等で構成される撮像素子、アナログ信号をデジタル信号に変換するＡ／Ｄ変換器により、被写体画像をデジタル信号に変換し、撮影画像データを出力する。
【００１６】
音声入力部１１０は音声を電位信号に変換するマイク等で構成され、音声データを出力する。ＲＯＭ１０３は、電気的に消去・記録可能なメモリであり、例えばＥＥＰＲＯＭ等が用いられる。ＲＯＭ１０３には、ＣＰＵ１０２の動作用の定数、プログラム等が記憶される。ここでいう、プログラムとは、本実施形態にて後述する各種フローチャートを実行するためのプログラムのことである。ＣＰＵ１０２は、撮像装置本体１００全体を制御する。前述したＲＯＭ１０３に記録されたプログラムを実行することで、後述する本実施形態の各処理を実現する。
【００１７】
ＲＡＭ１０４はシステムメモリ、ワークメモリ、画像メモリ、音声メモリであり、ＲＡＭ等が用いられる。ＲＡＭ１０４には、ＣＰＵ１０２の動作用の定数、変数、ＲＯＭ１０３から読み出したプログラム等を展開する。
【００１８】
蓋開閉検知部１０５は、記録メディア挿抜のための、記録メディア開口部２０６を塞ぐメディア蓋２０１の開閉状態を検知して出力する。蓋開閉検知部１０５には検出スイッチや、ホール素子、フォトインタラプター等を用いる。
【００１９】
表示部１０６は、ＣＰＵ１０２がＲＡＭ１０４に送信させる画像データにより、画像を表示する。表示部１０６には液晶パネル、有機ＥＬ等を用いる。記録部１０７はＣＰＵ１０２がＲＡＭ１０４に送信させる画像データと音声データを記録する。記録部１０７は画像データと音声データを記録するためのメモリカード等の記録媒体であり、半導体メモリや磁気ディスク、磁気テープ等から構成される。
【００２０】
操作部１０８は、撮像装置本体１００に設けられるシャッター釦２０５、電源釦２０２、表示部１０６と重ねて設けられるタッチパネル２０７等により構成される操作に関わる部分を示す。電源釦２０２は撮像装置本体１００の電源ＯＮ、ＯＦＦを行う。シャッター釦２０５は、操作することにより、撮影される画像データと音声データが記録部１０７に保存される。タッチパネル２０７は、重ねて設けらた表示部１０６に表示される種々のアイコンを選択操作することで、各種機能釦として作用する。機能釦としては、例えば撮影モード切り替え釦、ズーム釦、メニュー釦、等がある。例えば、ズーム釦が押されるとズーム機能が開始され撮影シーンに適した画角にできる。利用者は、表示部１０６に表示された釦を重ねて配置されたタッチパネル２０７により操作することで、直感的に各種設定を行うことができる。
【００２１】
前記ＣＰＵ１０２、ＲＯＭ１０３、ＲＡＭ１０４は、撮像装置本体１００の内部に配置される基板２００上に配置されている。ＣＰＵ１０２は、ファン１０９を駆動するモーターの制御を前記モーターへの入力電圧値、またはＰＷＭ制御と呼ばれる入力電圧を矩形波にすることにより回転数を制御する制御手段を持つ。
【００２２】
その他、撮像装置に使われる構成として、撮像装置本体を駆動するための電源部、バッテリー部、ストロボ部、等あるが、撮像装置として周知の事実を用いるため、ここでは図示、及び詳細な説明を省く。
【００２３】
図３は本実施系における第一のファン回転制御処理のフローチャートである。これらのフローチャートにおける各処理は、ＣＰＵ１０２がＲＯＭ１０３に格納されたプログラムをＲＡＭ１０４に展開して実行することにより実現される。図３において、ステップＳ３０２は、ＣＰＵ１０２が電源釦２０２により電源ＯＮの命令があるか判断を行う。ＣＰＵ１０２は前記電源釦２０２より電源ＯＮの命令がないと判断した場合、ステップＳ３０２に戻る。ＣＰＵ１０２は前記電源釦２０２により電源ＯＮの命令があったと判断した場合、ステップＳ３０３へ進む。
【００２４】
ステップＳ３０３はＣＰＵ１０２が前記制御手段にてファン１０９を通常回転させる。ステップＳ３０４はＣＰＵ１０２が蓋開閉検知部１０５から出力される現在のメディア蓋２０１の開閉状態に応じた信号をＲＡＭ１０４に記憶する。
【００２５】
ステップＳ３０５はＣＰＵ１０２がＲＡＭ１０４に記憶された前記蓋開閉検知部１０５の信号から前記メディア蓋２０１が開閉状態のどちらであるか判断する。前記メディア蓋が閉状態の時はステップＳ３０６へ進む。前記メディア蓋が開状態の時はＳ３０７へ進む。
【００２６】
先ずステップＳ３０６へ進んだ場合を説明する。ステップＳ３０６はＣＰＵ１０２が電源釦２０２により電源ＯＦＦの命令があったか判断を行う。ＣＰＵ１０２は前記電源釦２０２により電源ＯＦＦの命令があると判断した場合、ステップＳ３０９へ進む。ＣＰＵ１０２は前記電源釦２０２により電源ＯＦＦの命令が無かったと判断した場合、ステップＳ３０３へ戻る。
【００２７】
次にステップＳ３０５にてステップＳ３０７へ進んだ場合を説明する。ステップＳ３０７はＣＰＵ１０２が制御手段にてファンの回転数を下げる、または止める等の特定の制御を行うことで、前記メディア蓋が開いている時の空気流入量を下げてステップＳ３０８へ進む。ステップＳ３０８はＣＰＵ１０２が電源釦２０２により電源ＯＦＦの命令があったか判断を行う。ＣＰＵ１０２は前記電源釦２０２により電源ＯＦＦの命令があると判断した場合、ステップＳ３０９へ進む。ＣＰＵ１０２は前記電源釦２０２により電源ＯＦＦの命令が無かったと判断した場合、ステップＳ３０４へ戻る。
【００２８】
以上のように本発明の第一のファン制御処理によれば、例えば撮像装置のメディア蓋を開けても、ファンの回転数を下げる、又は止めることにより、メディア開口部からの空気流入量を下げることで、メディア端子部にたまる埃を軽減することが可能となる。
【００２９】
次に、撮影記録中に誤ってメディア蓋を開けてしまうことが考えられるため、この問題を解決する実施例を上げる。
【００３０】
図４は本実施系における第二のファン回転制御処理のフローチャートである。これらのフローチャートにおける各処理は、ＣＰＵ１０２がＲＯＭ１０３に格納されたプログラムをＲＡＭ１０４に展開して実行することにより実現される。
【００３１】
図４において、ステップＳ４０２は、ＣＰＵ１０２が電源釦２０２により電源ＯＮの命令があるか判断を行う。ＣＰＵ１０２は前記電源釦２０２より電源ＯＮの命令がないと判断した場合、ステップＳ４０２に戻る。ＣＰＵ１０２は前記電源釦２０２により電源ＯＮの命令があったと判断した場合、ステップＳ４０３へ進む。
【００３２】
ステップＳ４０３はＣＰＵ１０２が前記制御手段にてファン１０９を通常回転させる。ステップＳ４０４はＣＰＵ１０２が記録部１０７の使用状態を判断する。記録部が使用中である場合、ステップＳ４０３へ進む。記録部を使用していない場合、ステップＳ４０５へ進む。ステップＳ４０５はＣＰＵ１０２が蓋開閉検知部１０５から出力される現在のメディア蓋２０１の開閉状態に応じた信号をＲＡＭ１０４に記憶する。
【００３３】
ステップＳ４０６はＣＰＵ１０２がＲＡＭ１０４に記憶された前記蓋開閉検知部１０５の信号から前記メディア蓋２０１が開閉状態のどちらであるか判断する。前記メディア蓋が閉状態の時はステップＳ４０７へ進む。前記メディア蓋が開状態の時はＳ４０８へ進む。
【００３４】
先ずステップＳ４０７へ進んだ場合を説明する。ステップＳ４０７はＣＰＵ１０２が電源釦２０２により電源ＯＦＦの命令があったか判断を行う。ＣＰＵ１０２は前記電源釦２０２により電源ＯＦＦの命令があると判断した場合、ステップＳ４１０へ進む。ＣＰＵ１０２は前記電源釦２０２により電源ＯＦＦの命令が無かったと判断した場合、ステップＳ４０３へ戻る。
【００３５】
次にステップＳ４０６にてステップＳ４０８へ進んだ場合を説明する。ステップＳ４０８はＣＰＵ１０２が制御手段にてファンの回転数を下げる、または止める等の特定の制御を行うことで、前記メディア蓋が開いている時の空気流入量を下げてステップＳ４０９へ進む。
【００３６】
ステップＳ４０９はＣＰＵ１０２が電源釦２０２により電源ＯＦＦの命令があったか判断を行う。ＣＰＵ１０２は前記電源釦２０２により電源ＯＦＦの命令があると判断した場合、ステップＳ４１０へ進む。ＣＰＵ１０２は前記電源釦２０２により電源ＯＦＦの命令が無かったと判断した場合、ステップＳ４０４へ戻る。
【００３７】
以上のように本発明の第二のファン制御処理によれば、例えば撮像装置の記録部を使用中にメディア蓋を開けても、ファンの回転は下がらず、記録による発熱をファンにより放熱することが可能である。また、撮像装置の記録部を使用していない時は、メディア蓋を開くと、ファンの回転数を下げる、又は止めることにより、メディア開口部からの空気流入量を下げることで、メディア端子部にたまる埃を軽減することが可能となる。
【符号の説明】
【００３８】
100‥‥撮像装置本体
101‥‥撮像部
102‥‥ＣＰＵ
103‥‥ＲＯＭ
104‥‥ＲＡＭ
105‥‥蓋開閉検知部
106‥‥表示部
107‥‥記録部
108‥‥操作部
109‥‥ファン
110‥‥音声入力部
200‥‥基板
201‥‥メディア蓋
202‥‥電源釦
203‥‥吸気口
204‥‥排気口
205‥‥シャッター釦
206‥‥記録メディア開口部
207‥‥タッチパネル
【図１】
2015126424.tif 000003
【図２ａ】
2015126424.tif 000004
【図２ｂ】
2015126424.tif 000005
【図３】
2015126424.tif 000006
【図４】
2015126424.tif 000007